【手続補正書】
【提出日】平成27年12月4日(2015.12.4)
【手続補正１】
【補正対象書類名】特許請求の範囲
【補正対象項目名】全文
【補正方法】変更
【補正の内容】
【特許請求の範囲】
【請求項１】
電子文書を表示するタッチパネルの表示部を有する情報処理装置であって、
前記電子文書のページを繰り返しめくって、前記表示部に表示する表示制御手段と、
前記表示制御手段による繰り返しページめくり中に、前記表示部に表示された前記電子文書の小口部分にタッチ操作があった場合、前記表示制御手段により表示される前記電子文書の繰り返しページめくりを抑止する抑止手段と、
前記小口部分のタッチの位置が移動した方向を判定する移動方向判定手段と
を備え、
前記表示制御手段は、
前記移動方向判定手段により判定された前記小口部分のタッチの位置が移動した方向に従って、前記電子文書のページが進む方向にめくって表示するか、前記電子文書のページが戻る方向にめくって表示するかを切り替えて表示すること
を特徴とする情報処理装置。
【請求項２】
前記表示制御手段は、
前記表示部に前記電子文書の紙面部分と前記小口部分とを表示し、前記移動方向判定手段により判定された前記小口部分のタッチの位置が前記電子文書ののど部分から当該小口部分の向きに移動した場合、前記繰り返しページめくりと同じ方向にめくって表示し、一方、前記電子文書ののどの向きに移動した場合、前記繰り返しページめくりとは逆の方向にめくって表示すること
を特徴とする請求項１に記載の情報処理装置。
【請求項３】
前記表示制御手段による繰り返しページめくり中に、前記表示部に表示された前記小口部分にタッチ操作があった場合、前記小口部分のタッチ位置に従って、ページめくりを止めるページを決定するページ決定手段
を更に備え、
前記表示制御手段は、
前記ページ決定手段で決定したページまで、ページを繰り返しめくって表示すること
を特徴とする請求項１または２に記載の情報処理装置。
【請求項４】
前記表示部に表示されている前記電子文書のページ番号を取得するページ番号取得手段と、
当該情報処理装置の傾きに応じて、傾斜角を取得する傾斜角取得手段と、
前記傾斜角取得手段で取得した傾斜角に従って、前記電子文書を単位時間あたりにめくるページ数を取得するページ数取得手段と、
前記表示制御手段は、
所定のページ数分をまとめてページめくりをするように、前記ページ番号取得手段で取得されたページ番号から前記ページ数取得手段で取得されたページ数分ページをめくったページを表示すること
を特徴とする請求項１乃至３のいずれか１項に記載の情報処理装置。
【請求項５】
前記表示制御手段は、
前記傾斜角取得手段で所定の傾斜角を取得できない場合に、所定のページ数分まとめてページめくりをすることなく、ユーザの操作に応じて１ページごとページをめくって表示すること
を特徴とする請求項４に記載の情報処理装置。
【請求項６】
前記傾斜角取得手段は、
繰り返し傾斜角を取得し、当該情報処理装置の傾きの変化に応じて、まとめてページめくりするページ数が変更されるように、前記ページ数取得手段により前記傾斜角の変化に応じて前記電子文書を単位時間あたりにめくるページ数を取得し、
前記表示制御手段は、
前記ページ数取得手段により取得したページ数をめくったページを表示すること
を特徴とする請求項４または５に記載の情報処理装置。
【請求項７】
前記表示制御手段は、
前記まとめてページめくりするページ数をユーザに識別させるべく、前記ページ数取得手段により取得したページ数を表示すること
を特徴とする請求項４乃至６のいずれか１項に記載の情報処理装置。
【請求項８】
電子文書を表示するタッチパネルの表示部を有する情報処理装置における処理方法であって、
前記情報処理装置が、
前記電子文書のページを繰り返しめくって、前記表示部に表示する表示制御ステップと、
前記表示制御ステップによる繰り返しページめくり中に、前記表示部に表示された前記電子文書の小口部分にタッチ操作があった場合、前記表示制御ステップにより表示される前記電子文書の繰り返しページめくりを抑止する抑止ステップと、
前記小口部分のタッチの位置が移動した方向を判定する移動方向判定ステップと
を実行し、
前記表示制御ステップは、
前記移動方向判定ステップにより判定された前記小口部分のタッチの位置が移動した方向に従って、前記電子文書のページが進む方向にめくって表示するか、前記電子文書のページが戻る方向にめくって表示するかを切り替えて表示すること
を特徴とする処理方法。
【請求項９】
電子文書を表示するタッチパネルの表示部を有する情報処理装置で実行可能なプログラムであって、
前記情報処理装置を、
前記電子文書のページを繰り返しめくって、前記表示部に表示する表示制御手段と、
前記表示制御手段による繰り返しページめくり中に、前記表示部に表示された前記電子文書の小口部分にタッチ操作があった場合、前記表示制御手段により表示される前記電子文書の繰り返しページめくりを抑止する抑止手段と、
前記小口部分のタッチの位置が移動した方向を判定する移動方向判定手段
として機能させ、
前記表示制御手段は、
前記移動方向判定手段により判定された前記小口部分のタッチの位置が移動した方向に従って、前記電子文書のページが進む方向にめくって表示するか、前記電子文書のページが戻る方向にめくって表示するかを切り替えて表示すること
を特徴とするプログラム。
【手続補正２】
【補正対象書類名】明細書
【補正対象項目名】００１０
【補正方法】変更
【補正の内容】
【００１０】
本発明の目的を達成するための電子文書を表示するタッチパネルの表示部を有する情報処理装置であって、前記電子文書のページを繰り返しめくって、前記表示部に表示する表示制御手段と、前記表示制御手段による繰り返しページめくり中に、前記表示部に表示された前記電子文書の小口部分にタッチ操作があった場合、前記表示制御手段により表示される前記電子文書の繰り返しページめくりを抑止する抑止手段と、前記小口部分のタッチの位置が移動した方向を判定する移動方向判定手段とを備え、前記表示制御手段は、前記移動方向判定手段により判定された前記小口部分のタッチの位置が移動した方向に従って、前記電子文書のページが進む方向にめくって表示するか、前記電子文書のページが戻る方向にめくって表示するかを切り替えて表示することを特徴とする。
【手続補正３】
【補正対象書類名】明細書
【補正対象項目名】００１１
【補正方法】変更
【補正の内容】
【００１１】
前記表示制御手段は、前記表示部に前記電子文書の紙面部分と前記小口部分とを表示し、前記移動方向判定手段により判定された前記小口部分のタッチの位置が前記電子文書ののど部分から当該小口部分の向きに移動した場合、前記繰り返しページめくりと同じ方向にめくって表示し、一方、前記電子文書ののどの向きに移動した場合、前記繰り返しページめくりとは逆の方向にめくって表示することを特徴とする。
【手続補正４】
【補正対象書類名】明細書
【補正対象項目名】００１２
【補正方法】変更
【補正の内容】
【００１２】
前記表示制御手段による繰り返しページめくり中に、前記表示部に表示された前記小口部分にタッチ操作があった場合、前記小口部分のタッチ位置に従って、ページめくりを止めるページを決定するページ決定手段を更に備え、前記表示制御手段は、前記ページ決定手段で決定したページまで、ページを繰り返しめくって表示することを特徴とする。
【手続補正５】
【補正対象書類名】明細書
【補正対象項目名】００１３
【補正方法】変更
【補正の内容】
【００１３】
前記表示部に表示されている前記電子文書のページ番号を取得するページ番号取得手段と、当該情報処理装置の傾きに応じて、傾斜角を取得する傾斜角取得手段と、前記傾斜角取得手段で取得した傾斜角に従って、前記電子文書を単位時間あたりにめくるページ数を取得するページ数取得手段と、前記表示制御手段は、所定のページ数分をまとめてページめくりをするように、前記ページ番号取得手段で取得されたページ番号から前記ページ数取得手段で取得されたページ数分ページをめくったページを表示することを特徴とする。
【手続補正６】
【補正対象書類名】明細書
【補正対象項目名】００１４
【補正方法】変更
【補正の内容】
【００１４】
前記表示制御手段は、前記傾斜角取得手段で所定の傾斜角を取得できない場合に、所定のページ数分まとめてページめくりをすることなく、ユーザの操作に応じて１ページごとページをめくって表示することを特徴とする。
【手続補正７】
【補正対象書類名】明細書
【補正対象項目名】００１５
【補正方法】変更
【補正の内容】
【００１５】
前記傾斜角取得手段は、繰り返し傾斜角を取得し、当該情報処理装置の傾きの変化に応じて、まとめてページめくりするページ数が変更されるように、前記ページ数取得手段により前記傾斜角の変化に応じて前記電子文書を単位時間あたりにめくるページ数を取得し、前記表示制御手段は、前記ページ数取得手段により取得したページ数をめくったページを表示することを特徴とする。
前記まとめてページめくりするページ数をユーザに識別させるべく、前記ページ数取得手段により取得したページ数を表示すること
を特徴とする。